(57)【特許請求の範囲】
【請求項１】
圧縮行程の中間部分に冷媒をインジェクション可能とし、低圧の前記冷媒を吸入して圧縮して高圧の前記冷媒を吐出する圧縮機と、
空調対象の空気と前記冷媒とを熱交換する室内熱交換器と、
該室内熱交換器を通過する前記冷媒の流量を調整制御する第１の流量制御装置と、
互いに並列に接続され、外部の空気と前記冷媒とを熱交換する複数の室外熱交換器とを配管で接続して、前記冷媒が循環する主冷媒回路を構成し、
前記圧縮機が吐出した前記冷媒の一部が分岐して通過し、デフロスト対象となる前記室外熱交換器に流入させる第１のデフロスト配管と、
前記第１のデフロスト配管を通過する前記冷媒を、前記低圧よりも高く、前記高圧よりも低い中圧に圧力調整する第１の圧力調整装置と、
前記デフロスト対象の前記室外熱交換器を通過した前記冷媒を、前記圧縮機にインジェクションさせる第２のデフロスト配管と、
前記第２のデフロスト配管を通過する前記冷媒をインジェクション圧まで圧力調整する第２の圧力調整装置と
を備えた空気調和装置。
【請求項２】
前記複数の室外熱交換器のうち、前記デフロスト対象となる前記室外熱交換器以外の前記室外熱交換器の少なくとも１つを蒸発器として機能させてデフロストを行うと共に暖房を行う請求項１に記載の空気調和装置。
【請求項３】
前記デフロスト対象となる前記室外熱交換器から流出した前記冷媒を圧力調整して、蒸発器となる前記室外熱交換器の上流側の前記主冷媒回路へ流入させる第３の圧力調整装置をさらに備えた請求項２に記載の空気調和装置。
【請求項４】
前記主冷媒回路を流れて前記蒸発器として機能する前記室外熱交換器に流入する前記冷媒と前記第２のデフロスト配管を流れる前記冷媒とを熱交換する冷媒間熱交換器をさらに備えた請求項３に記載の空気調和装置。
【請求項５】
前記主冷媒回路を流れる前記冷媒を圧力調整して前記第２のデフロスト配管に流入させる第４の圧力調整装置をさらに備えた請求項１〜４の何れか一項に記載の空気調和装置。
【請求項６】
前記室外熱交換器は、内部を前記冷媒が通過し、空気通過方向に対して垂直方向の段方向及び前記空気通過方向である列方向に複数設けられた伝熱管と、
前記空気通過方向に空気が通過するように間隔を空けて配置された複数のフィンとを有し、
前記空気通過方向の風上側の列の前記伝熱管に接続された配管と前記第１のデフロスト配管とを接続し、
前記空気通過方向の風下側の列の前記伝熱管に接続された配管と前記第２のデフロスト配管とを接続する請求項１〜５の何れか一項に記載の空気調和装置。
【請求項７】
前記第３の圧力調整装置は、前記デフロスト対象となる前記室外熱交換器から流出する前記冷媒の圧力を制御する請求項３〜６の何れか一項に記載の空気調和装置。
【請求項８】
前記第３の圧力調整装置は、飽和温度換算で０℃より高くかつ１０℃以下の範囲内となるように、前記デフロスト対象の室外熱交換器から流出する前記冷媒の圧力を制御する請求項７に記載の空気調和装置。
【請求項９】
前記第２の圧力調整装置の圧力調整により、前記圧縮機が吐出する前記冷媒の吐出温度又は吐出スーパーヒートを制御する請求項１〜８の何れか一項に記載の空気調和装置。
【請求項１０】
空調対象空間外の空気である外気温度を検出する外気温度検出装置をさらに備え、
前記第１の圧力調整装置は、前記外気温度に基づいて流量制御を行う請求項１〜９の何れか一項に記載の空気調和装置。
【請求項１１】
空調対象空間外の空気である外気温度を検出する外気温度検出装置をさらに備え、
前記外気温度に基づいて、デフロスト運転を開始するか否かの判定基準を変更する請求項１〜１０の何れか一項に記載の空気調和装置。
【請求項１２】
空調対象空間外の空気である外気温度を検出する外気温度検出装置をさらに備え、
前記デフロスト対象の前記室外熱交換器を選択してデフロストし、他の前記室外熱交換器を蒸発器として機能させて暖房を継続する暖房デフロスト運転モードと、すべての前記室外熱交換器をデフロストする暖房停止デフロスト運転モードとを、前記外気温度に基づいて選択する請求項１〜１１の何れか一項に記載の空気調和装置。
【請求項１３】
空調対象空間外の空気である外気温度を検出する外気温度検出装置と、前記複数の室外熱交換器に外気を送り込む室外ファンとをさらに備え、
前記デフロスト対象の前記室外熱交換器をデフロストしているときに、前記外気温度に基づいて前記室外ファンの出力を変更する請求項１〜１２の何れか一項に記載の空気調和装置。
【請求項１４】
デフロスト運転モードにおいて、各室外熱交換器を少なくとも１回以上デフロストする請求項１〜１３の何れか一項に記載の空気調和装置。
【発明の詳細な説明】
【技術分野】
【０００１】
本発明は、空気調和装置に関するものである。
【背景技術】
【０００２】
近年、地球環境保護の観点から、化石燃料を燃やして暖房を行うボイラ式の暖房器具に代わって、寒冷地域にも空気を熱源とするヒートポンプ式の空気調和装置が導入される事例が増えている。ヒートポンプ式の空気調和装置は、圧縮機への電気入力に加えて空気から熱が供給される分だけ効率よく暖房を行うことができる。【０００３】
しかし、この反面、ヒートポンプ式の空気調和装置は、屋外等における空気の温度（外気温度）が低温になるほど、蒸発器となる室外熱交換器に着霜しやすくなる。このため、室外熱交換器についた霜を融かすデフロスト（除霜）を行う必要がある。デフロストを行う方法として、例えば、暖房における冷媒の流れを逆転させ、圧縮機からの冷媒を室外熱交換器に供給する方法がある。ただ、この方法は、デフロスト中、室内の暖房を停止して行う場合があるため、快適性が損なわれる課題があった。【０００４】
そこで、デフロスト中でも暖房を行うことができるように、例えば室外熱交換器を分割し、一部の室外熱交換器がデフロストしている間、他の室外熱交換器を蒸発器として動作させて空気から熱を吸熱し、暖房を行う方法が提案されている（例えば、特許文献１、特許文献２及び特許文献３参照）。【０００５】
例えば、特許文献１に記載の技術では、室外熱交換器を２つの熱交換器部に分割する。そして、一方の熱交換器部をデフロストする場合に、デフロスト対象の熱交換器部の上流に設置された電子膨張弁を閉止する。更に、圧縮機の吐出配管から熱交換器部の入口に冷媒をバイパスするバイパス配管の電磁開閉弁を開くことで、圧縮機から吐出された高温の冷媒の一部を直接、デフロスト対象の熱交換器部に流入させている。そして、一方の熱交換器部のデフロストが完了したら他方の熱交換器部のデフロストを行うようにしている。このとき、デフロスト対象の熱交換器部では、内部の冷媒の圧力が圧縮機の吸入圧力と同等となる状態でデフロストが行われる（低圧デフロスト）。【０００６】
また、特許文献２に記載の技術では、複数台の熱源機と、少なくとも１台以上の室内機とを備え、デフロスト対象の熱源側熱交換器を備えた熱源機のみ、四方弁の接続を暖房時と逆転させ、圧縮機から吐出された冷媒を直接、熱源機側熱交換器に流入させている。このとき、デフロスト対象の熱源機側熱交換器では、内部の冷媒の圧力が圧縮機の吐出圧力と同等となる状態でデフロストが行われる（高圧デフロスト）。【０００７】
さらに、特許文献３に記載の技術では、室外熱交換器を複数の室外熱交換器に分割し、圧縮機から吐出された高温の冷媒の一部を各室外熱交換器に交互に流入させ、各室外熱交換器を交互にデフロストする。このため、冷凍サイクルを逆転させることなく連続して暖房を行うことができるようにしている。また、デフロスト対象の室外熱交換器に供給した冷媒を、圧縮機のインジェクションポートからインジェクションしている。このとき、デフロスト対象の室外熱交換器では、内部の冷媒の圧力が、圧縮機の吐出圧力より低く吸入圧力より高い圧力（飽和温度換算で０℃よりやや高い温度となる圧力）となる状態でデフロストが行われる（中圧デフロスト）。
【先行技術文献】
【特許文献】
【０００８】
【特許文献１】特開２００９−０８５４８４号公報（段落［００１９］、図３）
【特許文献２】特開２００７−２７１０９４号公報（段落［０００７］、図２）
【特許文献３】ＷＯ２０１２／０１４３４５号公報（段落［０００６］、図１）
【発明の概要】
【発明が解決しようとする課題】
【０００９】
特許文献１に記載の低圧デフロストでは、デフロスト対象の熱交換器部と、蒸発器として機能する熱交換器部（デフロストを行っていない熱交換器部）とが同じ圧力帯で動作する。そして、蒸発器として機能する熱交換器部において、冷媒は外気から吸熱することになる。このため、冷媒の蒸発温度を外気温度と比較して低い温度にする必要がある。このため、デフロスト対象の熱交換器部においても、冷媒の飽和温度が０℃以下となる場合がある。したがって、霜（０℃）を融かそうとしても冷媒の凝縮潜熱を利用することができず、デフロストの効率が悪くなることがあった。【００１０】
また、特許文献２に記載の高圧デフロストでは、デフロストを終えた熱源側熱交換器出口の冷媒のサブクール（過冷却度）が大きくなる。そのため、デフロスト対象の熱源側熱交換器内に温度分布が発生し、効率のよいデフロストができなくなっていた。また、サブクールが大きい分だけデフロスト対象の熱源側熱交換器内の液冷媒の量が増大し、液冷媒の移動に時間がかかる場合があった。【００１１】
そして、特許文献３に記載の中圧デフロストでは、冷媒の飽和温度を０℃と比較してやや高い温度となる状態（０℃〜１０℃程度）に制御することで、凝縮潜熱を利用している。この中圧デフロストは、低圧デフロスト及び高圧デフロストと比較して、室外熱交換器全体を温度ムラが少なく、効率よくデフロストすることができる。しかし、圧縮機にインジェクションできる冷媒の液量には上限があり、デフロスト対象の室外熱交換器に供給できる冷媒の流量には限界がある。また、デフロスト室外熱交換器の圧力がインジェクション圧縮機におけるインジェクション圧に左右される可能性がある。そのため、デフロスト能力に限界があり、デフロスト時間を短くすることができなかった。【００１２】
本発明は、上記のような課題を解決するためになされたもので、効率よくデフロストすることができる空気調和装置を提供することを目的とする。
【課題を解決するための手段】
【００１３】
本発明に係る空気調和装置は、圧縮行程の中間部分に冷媒をインジェクション可能とし、低圧の冷媒を吸入して圧縮して高圧の冷媒を吐出する圧縮機と、空調対象の空気と冷媒とを熱交換する室内熱交換器と、室内熱交換器を通過する冷媒の流量を調整制御する第１の流量制御装置と、互いに並列に接続され、外部の空気と冷媒とを熱交換する複数の室外熱交換器とを配管で接続して、冷媒が循環する主冷媒回路を構成し、圧縮機が吐出した冷媒の一部が分岐して通過し、デフロスト対象となる室外熱交換器に流入させる第１のデフロスト配管と、第１のデフロスト配管を通過する冷媒を、低圧よりも高く、高圧よりも低い中圧に圧力調整する第１の圧力調整装置と、デフロスト対象の室外熱交換器を通過した冷媒を、圧縮機にインジェクションさせる第２のデフロスト配管と、第２のデフロスト配管を通過する冷媒をインジェクション圧まで圧力調整する第２の圧力調整装置とを備えたものである。
【発明の効果】
【００１４】
本発明によれば、デフロスト対象の室外熱交換器に第１の圧力調整装置及び第２の圧力調整装置で調整した圧力で、主冷媒回路とは別経路で冷媒を流してデフロストを行うようにしたので、例えば室内機の暖房を停止させずに効率よくデフロストを行うことができる空気調和装置を得ることができる。
【図面の簡単な説明】
【００１５】
【図１】本発明の実施の形態１に係る空気調和装置１００の構成を示す図である。
【図２】本発明の実施の形態１に係る空気調和装置１００が有する室外熱交換器の構成の一例を示す図である。
【図３】本発明の実施の形態１に係る空気調和装置１００における弁を有する装置におけるＯＮ／ＯＦＦ（開閉）又は開度調整の状態に関する表を示す図である。
【図４】本発明の実施の形態１に係る空気調和装置１００の冷房運転時の冷媒の流れを示す図である。
【図５】本発明の実施の形態１に係る空気調和装置１００の冷房運転時のＰ−ｈ線図である。
【図６】本発明の実施の形態１に係る空気調和装置１００の暖房通常運転時の冷媒の流れを示す図である。
【図７】本発明の実施の形態１に係る空気調和装置１００の暖房通常運転時のＰ−ｈ線図である。
【図８】本発明の実施の形態１に係る空気調和装置１００の暖房デフロスト運転時の冷媒の流れを示す図である。
【図９】本発明の実施の形態１に係る空気調和装置１００の暖房デフロスト運転時のＰ−ｈ線図である。
【図１０】本発明の実施の形態１に係る空気調和装置１００におけるデフロスト対象の室外熱交換器１３の圧力（飽和液温度換算）に対する暖房能力比である。
【図１１】本発明の実施の形態１に係る空気調和装置１００におけるデフロスト対象の室外熱交換器１３の圧力（飽和液温度換算）に対するデフロスト対象の室外熱交換器の前後エンタルピ差である。
【図１２】本発明の実施の形態１に係る空気調和装置１００におけるデフロスト対象の室外熱交換器１３の圧力（飽和液温度換算）に対するデフロスト流量比である。
【図１３】本発明の実施の形態１に係る空気調和装置１００におけるデフロスト対象の室外熱交換器１３の圧力（飽和液温度換算）に対する冷媒量である。
【図１４】本発明の実施の形態１に係る空気調和装置１００におけるデフロスト対象の室外熱交換器１３の圧力（飽和液温度換算）に対するデフロスト対象の室外熱交換器出口の冷媒のサブクールＳＣである。
【図１５】本発明の実施の形態１に係る空気調和装置１００における制御装置６０の制御に係るフローチャートを示す図である。
【図１６】本発明の実施の形態２に係る空気調和装置１０１の構成を示す図である。
【図１７】本発明の実施の形態２に係る空気調和装置１００における弁を有する装置におけるＯＮ／ＯＦＦ（開閉）又は開度調整の状態に関する表を示す図である。
【図１８】本発明の実施の形態２に係る空気調和装置１０１の暖房デフロスト運転時の冷媒の流れを示す図である。
【図１９】本発明の実施の形態２に係る空気調和装置１０１の暖房デフロスト運転時のＰ−ｈ線図である。
【図２０】本発明の実施の形態３に係る空気調和装置１０２の構成を示す図である。
【図２１】本発明の実施の形態４に係る空気調和装置１０３の構成を示す図である。
【図２２】本発明の実施の形態４に係る空気調和装置１０４の構成を示す図である。
【発明を実施するための形態】
【００１６】
以下、図面に基づいて、本発明の実施の形態について説明する。各図において、同一の符号を付した機器等については、同一の又はこれに相当する機器を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、温度、圧力等の高低については、特に絶対的な値との関係で高低等が定まっているものではなく、システム、装置等における状態、動作等において相対的に定まるものとする。
【００１７】
実施の形態１．
図１は、本発明の実施の形態１に係る空気調和装置１００の構成を示す図である。本実施の形態の空気調和装置１００は、室外機１０と複数の室内機３０ａ及び３０ｂとを備えている。室外機１０と室内機３０ａ及び３０ｂとの間は、第１の延長配管４０、４１ａ及び４１ｂ並びに第２の延長配管５０、５１ａ及び５１ｂとを介して接続され、冷媒回路を構成する。ここで、冷媒回路において、室内機３０ａと室内機３０ｂとは、互いに並列に室外機１０と接続されている。また、空気調和装置１００は制御装置６０を有している。制御装置６０は、  制御装置６０は、例えば空気調和装置１００に取り付けられた各種検出装置（センサ）が検出した温度、圧力等に基づいて処理を行い、空気調和装置１００内の機器を制御し、室内機３０ａ及び３０ｂの少なくとも一方が行う空調対象空間の冷房、暖房を制御する。また、外気温度センサ６１は室外の温度を検出する温度検出装置である。本実施の形態の空気調和装置は、他にも、圧縮機１１が吐出及び吸入する冷媒の圧力及び温度を検出する圧力センサ及び温度センサを有している。また、室外熱交換器１３及び室内熱交換器３１における冷媒の温度等を検出する温度センサ等も有している。
【００１８】
冷媒回路内を循環する冷媒としては、例えばフロン冷媒、ＨＦＯ冷媒等を用いる。フロン冷媒としては、例えば、ＨＦＣ系冷媒のＲ３２冷媒、Ｒ１２５、Ｒ１３４ａ等、これらの混合冷媒となるＲ４１０Ａ、Ｒ４０７ｃ、Ｒ４０４Ａ等がある。また、ＨＦＯ冷媒としては、例えば、ＨＦＯ−１２３４ｙｆ、ＨＦＯ−１２３４ｚｅ（Ｅ）、ＨＦＯ−１２３４ｚｅ（Ｚ）等がある。そして、他の冷媒としては、ＣＯ２冷媒、ＨＣ冷媒（例えばプロパン、イソブタン冷媒）、アンモニア冷媒、Ｒ３２とＨＦＯ−１２３４ｙｆとの混合冷媒等、蒸気圧縮式のヒートポンプ装置に用いる冷媒がある。
【００１９】
ここで、本実施の形態１では、１台の室外機１０に、２台の室内機３０ａ、３０ｂを接続した空気調和装置１００を例として説明するが、室内機３０は１台でもよいし、３台以上を並列に接続してもよい。また、２台以上の室外機１０を並列に接続するようにしてもよい。さらに、延長配管を３本並列に接続する、室内機３０側で切替弁を設ける等して、各室内機３０がそれぞれ冷房又は暖房を選択することができる冷暖同時運転ができるようにした冷媒回路構成にしてもよい。
【００２０】
次に空気調和装置１００における冷媒回路の構成について説明する。空気調和装置１００の冷媒回路は、室外機１０の圧縮機１１、冷房と暖房とを切り替える冷暖切替装置１２及び室外熱交換器１３並びに室内機３０の室内熱交換器３１及び開閉自在な第１の流量制御装置３２を配管で接続して主となる冷媒回路（主冷媒回路）を有している。ここで、本実施の形態では、主冷媒回路にアキュムレータ１４も接続しているが、必ずしも必須の機器ではないため、接続されていない構成としてもよい。
【００２１】
圧縮機１１は、冷媒を吸入して圧縮し、高温・高圧のガス状態にして吐出する。ここで、本実施の形態の圧縮機１１は、圧縮室（図示せず）における圧縮行程の中間部分にインジェクション（冷媒導入）することを可能にするポートを有している。例えば液状の冷媒を所定の圧力（インジェクション圧）でインジェクションすることで、吐出温度を抑える等することができる。また、圧縮機１１は、例えばインバータ回路等により回転数（駆動周波数）を制御し、冷媒の吐出量（吐出容量）を変化させることができるタイプの圧縮機である。冷暖切替装置１２は、圧縮機１１の吐出配管２２及び吸入配管２３の間に接続され、冷媒の流れ方向を切り替える。冷暖切替装置１２は例えば四方弁で構成される。そして、制御装置６０の指示に基づいて、冷暖切替装置１２内においては、暖房運転においては図１の実線のように配管接続し、冷房運転では図１の点線のように配管接続するように切り替える。
【００２２】
図２は、本発明の実施の形態１に係る空気調和装置１００が有する室外熱交換器１３の構成の一例を示す図である。図２に示すように、本実施の形態の室外熱交換器は、例えば複数の伝熱管５ａと複数のフィン５ｂとを有するフィンチューブ型の熱交換器で構成される。伝熱管５ａは、内部を冷媒が通過し、空気通過方向に対して垂直方向の段方向及び空気通過方向である列方向に複数設けられている。また、フィン５ｂは、空気通過方向に空気が通過するように間隔を空けて配置されている。
【００２３】
ここで、本実施の形態の室外熱交換器１３は、図２に示すように、１台の室外熱交換器が複数の独立した流路を有している。冷媒主回路に対して各流路の流入出口を並列に配管接続することで複数の室外熱交換器１３に分割して構成している。ここでは、２つの室外熱交換器１３ａ及び１３ｂに分割している場合を例に説明する。ただ、分割数は２に限るものではない。また、分割する方向について、左右に分割（水平方向に対する分割）するようにしてもよいが、左右に分割すると、室外熱交換器１３ａ及び１３ｂのそれぞれの冷媒流入口が室外機１０の左右両端に分かれてしまい、配管接続が複雑になる。そこで、図２に示すように上下方向（垂直方向）に分割することが望ましい。さらに、本実施の形態の室外熱交換器１３ａ及び１３ｂは、図２のように、フィン５ｂは共通しており、分割していない。このため、後述する暖房デフロスト運転において、一方の室外熱交換器１３では冷媒は霜を融かすために高温の冷媒が伝熱管５ａを流れてフィン５ｂを加熱し、他方の室外熱交換器１３では伝熱管５ａを流れる冷媒がフィン５ｂを通して吸熱することになる。そこで、室外熱交換器１３間の熱の漏洩を防ぐために、フィン５ｂを室外熱交換器１３毎に分割するようにしてもよい。
【００２４】
室外ファン２１は、室外熱交換器１３ａ及び１３ｂに室外の空気（外気）を通過させて、冷媒との熱交換を促す。図１では、室外熱交換器１３ａ及び１３ｂに対して１台の室外ファン２１を設置しているが、室外熱交換器１３ａと１３ｂとのそれぞれに対応して室外ファン２１を設置するようにしてもよい。
【００２５】
また、第１の接続配管２４ａ及び２４ｂは、それぞれ室外熱交換器１３ａと１３ｂとに接続されている。本実施の形態では、暖房運転における室外熱交換器１３ａ及び１３ｂへの冷媒流入側において接続されている。第１の接続配管２４ａ及び２４ｂの流路には、それぞれ第２の流量制御装置１５ａと１５ｂとを有している。第２の流量制御装置１５ａ及び１５ｂは、例えば、電子制御式膨張弁で構成される。そして、制御装置６０からの指令に基づいて開度を可変させ、圧力調整して冷媒の流量を制御することができる。ここで、本実施の形態１における第２の流量制御装置１５ａ及び１５ｂは、本発明の「第３の圧力調整装置」に相当する。
【００２６】
また、第２の接続配管２５ａ及び２５ｂは、第１の接続配管２４ａ及び２４ｂとは反対側において、それぞれ室外熱交換器１３ａと１３ｂとに接続されている。本実施の形態では、暖房運転における室外熱交換器１３ａ及び１３ｂへの冷媒流出側において接続されている。第２の接続配管２５ａ及び２５ｂの流路には、それぞれ第１の電磁弁１６ａ及び１６ｂを有している。第１の電磁弁１６ａ及び１６ｂは、制御装置６０の指示に基づいて、開閉により、主冷媒回路から室外熱交換器１３ａ及び１３ｂに冷媒を流入出させるか否かを切り替える。
【００２７】
また、本実施の形態の空気調和装置１００は、さらに、冷媒主回路とは別の流路として第１のデフロスト配管２６を有している。第１のデフロスト配管２６は、一端が吐出配管２２と接続し、他端を分岐されて各々が第２の接続配管２５ａ及び２５ｂと接続している。そして、第１のデフロスト配管２６は、圧縮機１１から吐出した高温高圧の冷媒の一部をデフロストのために室外熱交換器１３ａ及び１３ｂの少なくとも一方に供給する。また、第１のデフロスト配管２６は絞り装置１８を有している。絞り装置１８は、制御装置６０の指示に基づいて、圧縮機１１から吐出した高温及び高圧の冷媒の一部を中圧に減圧する。ここで、中圧とは高圧（吐出圧力）より低く、インジェクション圧及び低圧（吸入圧力）よりも高い圧力であるものとする。したがって、デフロストにおいては、中圧に減圧した冷媒を室外熱交換器１３ａ及び１３ｂに供給することになる。第２の電磁弁１７ａ及び１７ｂは、第１のデフロスト配管２６における分岐部分にそれぞれ設けられる。吐出配管２２から第１のデフロスト配管２６を通過して第２の接続配管２５ａ及び２５ｂに冷媒を流入させるか否かを切り替える。絞り装置１８は、本発明の「第１の圧力調整装置」に相当する。
【００２８】
ここで、第１の電磁弁１６ａ及び１６ｂ並びに第２の電磁弁１７ａ及び１７ｂは、主冷媒回路と第１のデフロスト配管２６との流路を切り替えできればよい。このため、四方弁、三方弁、二方弁等を用いて構成するようにしてもよい。例えば、第１の電磁弁１６ａ及び１６ｂは、運転によって冷媒の通過する方向が異なることにより、前後の圧力が逆転する。一般的な電磁弁では前後の圧力が逆転すると使用できない場合がある。そこで、弁の高圧側を吐出配管２２と接続し、弁の低圧側を吸入配管２３と接続する四方弁等で第１の電磁弁１６ａ及び１６ｂと同じ機能をもたせるようにすればよい。また、第２の電磁弁１７ａ及び１７ｂは吐出配管２２側において第１のデフロスト配管２６と接続している側は常に高圧であるため、一方向の弁である二方弁を用いることができる。
【００２９】
また、絞り装置１８について、必要なデフロスト能力（デフロストをするために第１のデフロスト配管２６に流す冷媒流量）が決まっていれば、絞り装置１８を毛細管により構成してもよい。また、絞り装置１８を設けず、予め設定したデフロスト流量時に中圧まで圧力が低下するように、第２の電磁弁１７ａ及び１７ｂを小型化してもよい。また、絞り装置１８をなくして、第２の電磁弁１７ａ及び１７ｂの代わりに流量制御装置をつけても良い。このような場合には、第２の電磁弁１７ａ及び１７ｂ、流量制御装置等が本発明の「第１の圧力調整装置」に相当することになる。
【００３０】
第２のデフロスト配管２７についても、冷媒主回路とは別の流路となる。第２のデフロスト配管２７は、一端を圧縮機１１のインジェクション部にあるポートと接続し、他端を分岐されて各々が第１の接続配管２４ａ及び２４ｂと接続している。第２のデフロスト配管２７は、絞り装置２０並びに第３の電磁弁１９ａ及び１９ｂを有している。絞り装置２０は後述する暖房デフロスト運転時において、室外熱交換器１３ａ又は１３ｂから流出した中温及び中圧の冷媒の一部をインジェクション圧に減圧する。減圧した冷媒は、圧縮機１１にインジェクションされる。また、第３の電磁弁１９ａ及び１９ｂは、第２のデフロスト配管２７における分岐部分にそれぞれ設けられ、第１の接続配管２４ａ及び２４ｂから第２のデフロスト配管２７に冷媒を流すか否かを切り替える。ここで、絞り装置２０は、本発明の「第２の圧力調整装置」に相当する。
【００３１】
次に、本実施の形態の空気調和装置１００が実行する各種運転の運転動作について説明する。空気調和装置１００の運転には、冷房運転と暖房運転との２種類の運転モードがある。また、暖房運転には、さらに暖房通常運転と暖房デフロスト運転（連続暖房運転とも称する）とがある。暖房通常運転は、室外熱交換器１３を構成する室外熱交換器１３ａ及び１３ｂの両方が蒸発器として動作する。暖房デフロスト運転は、暖房運転を継続しながら、室外熱交換器１３ａと室外熱交換器１３ｂとを交互にデフロストする運転である。例えば、一方の室外熱交換器１３を蒸発器として動作させて暖房運転を行いながら、他方の室外熱交換器１３のデフロストを行う。そして、他方の室外熱交換器１３のデフロストが終了すると、他方の室外熱交換器を今度は蒸発器として動作させて暖房運転させ、一方の室外熱交換器１３のデフロストを行う。
【００３２】
図３は、本発明の実施の形態１に係る空気調和装置１００における各運転時の弁を有する装置（バルブ）におけるＯＮ／ＯＦＦ（開閉）又は開度調整の状態に関する表を示す図である。図３において、冷暖切替装置１２については、図１の実線の向きに接続した場合をＯＮとし、点線の向きに接続した場合をＯＦＦとして示している。また、各電磁弁１６ａ、１６ｂ、１７ａ、１７ｂ、１９ａ、１９ｂについては、弁を開いて冷媒が流れるようにした場合をＯＮとし、弁を閉じて冷媒が流れないようにした場合をＯＦＦとして示している。
【００３３】
［冷房運転］
図４は、本発明の実施の形態１に係る空気調和装置１００の冷房運転時の冷媒の流れを示す図である。ここで、図４においては、冷房運転時に冷媒が流れる部分を太線で示し、冷媒が流れない部分を細線としている。また、図５は、本発明の実施の形態１に係る空気調和装置１００の冷房運転時のＰ−ｈ線図である。図５の点（ａ）〜点（ｄ）は図４の同じ記号を付した箇所における冷媒の状態を示す。
【００３４】
圧縮機１１は運転を開始すると、吸入配管２３を介して低温低圧のガス冷媒を吸入し、圧縮して高温高圧のガス冷媒を吐出する。この圧縮機１１の冷媒圧縮過程は、圧縮機１１の断熱効率の分だけ、等エントロピ線で断熱圧縮される場合と比較して加熱されるように圧縮され、図５の点（ａ）から点（ｂ）に示す線で表される。圧縮機１１から吐出された高温高圧のガス冷媒は冷暖切替装置１２を通過して２つに分岐する。一方は第１の電磁弁１６ａを通過して第２の接続配管２５ａから室外熱交換器１３ａに流入する。他方は第１の電磁弁１６ｂを通過して第２の接続配管２５ｂから室外熱交換器１３ｂに流入する。
【００３５】
室外熱交換器１３ａ及び１３ｂに流入した冷媒は、室外空気との熱交換により室外空気を加熱しながら冷却され、中温高圧の液冷媒となる。室外熱交換器１３ａ及び１３ｂでの冷媒変化は、室外熱交換器１３の圧力損失を考慮すると、図５の点（ｂ）から点（ｃ）に示すやや傾いた水平に近い直線で表される。ここでは、室外熱交換器１３ａ及び１３ｂの両方において熱交換を行うようにしたが、例えば室内機３０ａ及び３０ｂの運転容量が小さい場合等においては、第１の電磁弁１６ｂを閉止して室外熱交換器１３ｂに冷媒が流れないようにすることができる。冷媒が流れないようにすることで、結果的に室外熱交換器１３の伝熱面積を小さくし、安定したサイクルの運転を行うことができる。
【００３６】
室外熱交換器１３ａ及び１３ｂから流出した中温高圧の液冷媒は、それぞれ第１の接続配管２４ａ及び２４ｂに流入し、全開状態の第２の流量制御装置１５ａ及び１５ｂを通過した後、合流する。合流した冷媒は、室外機１０から流出する。そして、第２の延長配管５０、５１ａ及び５１ｂを通り、室内機３０ａ及び３０ｂに流入する。そして、第１の流量制御装置３２ａ及び３２ｂを通過する。第１の流量制御装置３２ａ及び３２ｂを通過する際、冷媒は膨張及び減圧され、低温低圧の気液二相状態の冷媒になる。第１の流量制御装置３２ａ及び３２ｂでの冷媒の変化はエンタルピーが一定のもとで行われる。このときの冷媒変化は、図５の点（ｃ）から点（ｄ）に示す垂直線で表される。
【００３７】
第１の流量制御装置３２ａ及び３２ｂから流出した低温低圧の気液二相状態の冷媒は、室内熱交換器３１ａ及び３１ｂに流入する。室内熱交換器３１ａ、３１ｂに流入した冷媒は、室内空気との熱交換により、室内空気を冷却しながら加熱され、低温低圧のガス冷媒となる。ここで、制御装置６０は、室内熱交換器３１ａ及び３１ｂから流出した低温低圧のガス冷媒のスーパーヒート（過熱度）が２Ｋ〜５Ｋ程度になるように前述した第１の流量制御装置３２ａ及び３２ｂの開度を制御する。室内熱交換器３１ａ、３１ｂでの冷媒の変化は、圧力損失を考慮すると、図５の点（ｅ）から点（ａ）に示すやや傾いた水平に近い直線で表される。
【００３８】
室内熱交換器３１ａ及び３１ｂを流出した低温低圧のガス冷媒は、室内機３０ａ及び３０ｂから流出する。そして、第１の延長配管４１ａ、４１ｂ及び４０を通過して室外機１０に流入する。さらに、冷暖切替装置１２及びアキュムレータ１４を通って、吸入配管２３を介して圧縮機１１に吸入される。
【００３９】
［暖房通常運転］
図６は、本発明の実施の形態１に係る空気調和装置１００の暖房通常運転時の冷媒の流れを示す図である。ここで、図６においては暖房通常運転時に冷媒が流れる部分を太線とし、冷媒が流れない部分を細線としている。また、図７は、本発明の実施の形態１に係る空気調和装置１００の暖房通常運転時のＰ−ｈ線図である。図７の点（ａ）〜点（ｅ）は図６の同じ記号を付した部分での冷媒の状態を示す。
【００４０】
圧縮機１１は運転を開始すると、吸入配管２３を介して低温低圧のガス冷媒を吸入し、圧縮して高温高圧のガス冷媒を吐出する。圧縮機１１の冷媒圧縮過程は図７の点（ａ）から点（ｂ）に示す線で表される。
【００４１】
圧縮機１１から吐出された高温高圧のガス冷媒は、冷暖切替装置１２を通過した後、室外機１０から流出する。室外機１０を流出した高温高圧のガス冷媒は、第１の延長配管４０、４１ａ及び４１ｂを介して室内機３０ａ及び３０ｂに流入する。そして、室内熱交換器３１ａ及び３１ｂに流入する。室内熱交換器３１ａ及び３１ｂに流入した冷媒は、室内空気との熱交換により室内空気を加熱しながら冷却され、中温高圧の液冷媒となる。室内熱交換器３１ａ及び３１ｂでの冷媒の変化は、図７の点（ｂ）から点（ｃ）に示すやや傾いた水平に近い直線で表される。
【００４２】
室内熱交換器３１ａ及び３１ｂから流出した中温高圧の液冷媒は、第１の流量制御装置３２ａ及び３２ｂを通過する。第１の流量制御装置３２ａ及び３２ｂを通過する際、冷媒は膨張及び減圧され、中圧の気液二相状態になる。このときの冷媒変化は図７の点（ｃ）から点（ｄ）に示す垂直線で表される。制御装置６０は、中温高圧の液冷媒のサブクール（過冷却度）が５Ｋ〜２０Ｋ程度になるように第１の流量制御装置３２ａ及び３２ｂの開度を制御する。第１の流量制御装置３２ａ及び３２ｂから流出した中圧の気液二相状態の冷媒は、室内機３０ａ及び３０ｂから流出する。
【００４３】
室内機３０ａ及び３０ｂから流出した冷媒は、第２の延長配管５１ａ、５１ｂ及び５０を介して室外機１０に流入する。室外機１０に流入した冷媒は第１の接続配管２４ａ及び２４ｂに流入する。第１の接続配管２４ａ及び２４ｂに流入した冷媒は、第２の流量制御装置１５ａ及び１５ｂを通過する。第２の流量制御装置１５ａ及び１５ｂを通過する際、冷媒は膨張及び減圧され、低圧の気液二相状態になる。このときの冷媒の変化は図７の点（ｄ）から点（ｅ）となる。制御装置６０は、一定開度（例えば全開の状態）で固定するか、第２の延長配管５０等の中間圧の飽和温度が０℃〜２０℃程度になるように第２の流量制御装置１５ａ及び１５ｂの開度を制御する。
【００４４】
第２の流量制御装置１５ａ及び１５ｂを通過した冷媒は、室外熱交換器１３ａ及び１３ｂに流入する。室外熱交換器１３ａ及び１３ｂに流入した冷媒は、室外空気との熱交換により室外空気を冷却しながら加熱され、低温低圧のガス冷媒となる。室外熱交換器１３ａ及び１３ｂでの冷媒変化は、図７の点（ｅ）から点（ａ）に示すやや傾いた水平に近い直線で表される。
【００４５】
室外熱交換器１３ａ及び１３ｂから流出した低温低圧のガス冷媒は、第２の接続配管２５ａ及び２５ｂに流入し、第１の電磁弁１６ａ及び１６ｂを通過した後に合流する。さらに、冷暖切替装置１２及びアキュムレータ１４を通って、吸入配管２３を介して圧縮機１１に吸入される。
【００４６】
［暖房デフロスト運転（連続暖房運転）］
暖房デフロスト運転は、暖房通常運転中に、制御装置６０が室外熱交換器１３に着霜したものと判定した場合に行われる。室外熱交換器１３における着霜の有無の判定については複数の判定方法がある。例えば圧縮機１１の吸入圧力から換算される飽和温度が、予め設定した外気温度と比較して大幅に低下したと判断した場合に着霜したものと判定することができる。また、例えば、外気温度と室外熱交換器１３における蒸発温度との温度差が、一定時間以上予め設定した差以上であると判断すると着霜したものと判定することができる。
【００４７】
本実施の形態１に係る空気調和装置１００の構成では、暖房デフロスト運転において、室外熱交換器１３ｂがデフロストを行っている間、室外熱交換器１３ａが蒸発器として機能して暖房を継続することができる。また、その逆に、室外熱交換器１３ａがデフロストを行っている間、室外熱交換器１３ｂが蒸発器として機能して暖房を継続することができる。室外熱交換器１３ａがデフロストを行う場合と室外熱交換器１３ｂがデフロストを行う場合とでは、第１の電磁弁１６、第２の電磁弁１７及び第３の電磁弁１９における開閉状態が逆転し、室外熱交換器１３における冷媒の流れが異なるが、その他の動作は同じとなる。よって、以下の説明では、暖房デフロスト運転において、室外熱交換器１３ｂがデフロストを行い、室外熱交換器１３ａが蒸発器として機能して暖房を継続する場合について説明する。以降の実施の形態の説明においても同様である。
【００４８】
図８は、本発明の実施の形態１に係る空気調和装置１００の暖房デフロスト運転時の冷媒の流れを示す図である。ここで、図８において室外熱交換器１３ｂのデフロスト時に冷媒が流れる部分を太線とし、冷媒が流れない部分を細線としている。また、図９は、本発明の実施の形態１に係る空気調和装置１００の暖房デフロスト運転時のＰ−ｈ線図である。図９の点（ａ）〜点（ｉ）は、図８の同じ記号を付した部分での冷媒の状態を示す。
【００４９】
制御装置６０は、暖房通常運転を行っているときに、いずれかの室外熱交換器１３において、デフロストを行うかどうかを判定する。そして、室外熱交換器１３ｂのデフロストを行うものと判定すると、室外熱交換器１３ｂに対応する第１の電磁弁１６ｂを閉止させる。また、制御装置６０は、第２の電磁弁１７ｂ及び第３の電磁弁１９ｂを開放させ、絞り装置１８、絞り装置２０を予め設定した開度にさせる。
【００５０】
これによって、圧縮機１１→絞り装置１８→第２の電磁弁１７ｂ→室外熱交換器１３ｂ→第２の流量制御装置１５ｂ→第２の流量制御装置１５ａとなる冷媒経路（第１の冷媒経路）を形成する。また、圧縮機１１→絞り装置１８→第２の電磁弁１７ｂ→室外熱交換器１３ｂ→第３の電磁弁１９ｂ→絞り装置２０→圧縮機１１のインジェクション部となる冷媒経路（中圧デフロスト回路、第２の冷媒経路）を形成する。そして、暖房デフロスト運転を開始する。
【００５１】
暖房デフロスト運転を開始すると、圧縮機１１から吐出された高温高圧のガス冷媒の一部は、第１のデフロスト配管２６に流入し、絞り装置１８で中圧まで減圧される。このときの冷媒の変化は図９中の点（ｂ）から点（ｆ）で表される。
【００５２】
そして、図９において、点（ｆ）で示される中圧まで減圧された冷媒は、第２の電磁弁１７ｂ及び第２の接続配管２５ｂを通過して室外熱交換器１３ｂに流入する。室外熱交換器１３ｂに流入した冷媒は、室外熱交換器１３ｂに付着した霜と熱交換することによって冷却される。このように、圧縮機１１から吐出された高温高圧のガス冷媒を室外熱交換器１３ｂに流入させることで、室外熱交換器１３ｂに付着した霜を融かすことができる。このときの冷媒の変化は図９中の点（ｆ）から点（ｇ）の変化で表される。ここで、デフロストを行う冷媒は、霜の温度（０℃）より高く、かつ１０℃以下の飽和温度になっている。
【００５３】
デフロストを行った後の冷媒の一部は、第２の流量制御装置１５ｂを通過する。通過した冷媒は、室内機３０から第２の延長配管５１ａ、５１ｂ及び５０を介して室外機１０に流入した冷媒と合流する（点（ｈ））。合流した冷媒は、第２の流量制御装置１５ａ及び第１の接続配管２４ａを介して室外熱交換器１３ａに流入する。室外熱交換器１３ａに流入した冷媒は、室外空気との熱交換により室外空気を冷却しながら加熱され、低温低圧のガス冷媒となる。一方、デフロストを行った後に、第２の流量制御装置１５ｂを通過しなかった残りの冷媒は、前述した中圧デフロスト回路を経路として、第３の電磁弁１９ｂを通過する。そして、絞り装置２０でインジェクション圧まで減圧され（点（ｉ））、圧縮機１１にインジェクションされる。
【００５４】
次に、デフロストを行う冷媒の飽和温度を０℃より高く、かつ１０℃以下にする理由について説明する。
【００５５】
図１０〜図１４は、デフロスト能力を固定しながらデフロスト対象の室外熱交換器１３における冷媒の圧力（図中では飽和液温度に換算済）を変化させたときのグラフを示す図である。ここでは、冷媒回路内の冷媒としてＲ４１０Ａ冷媒を用いている。図１０は冷媒の圧力変化に対する暖房能力の変化を示している。また、図１１は冷媒の圧力変化に対するデフロスト対象の室外熱交換器１３の流入出前後における冷媒のエンタルピ差の変化を示している。図１２は冷媒の圧力変化に対するデフロストに必要な冷媒の流量の変化を示している。図１３は冷媒の圧力変化に対するアキュムレータ１４とデフロスト対象の室外熱交換器１３とにおける冷媒量の変化を示している。そして、図１４は冷媒の圧力変化に対するデフロスト対象の室外熱交換器１３の冷媒流出口におけるサブクールＳＣの変化を示している。
【００５６】
図１０において、デフロスト対象の室外熱交換器１３において冷媒の飽和液温度が０℃より高く、１０℃以下となる場合に暖房能力が高くなり、それ以外の場合に暖房能力が低下していることがわかる。まず、飽和液温度が０℃以下の場合に暖房能力が低下する原因を説明する。霜を融かすには冷媒の温度を０℃より高くする必要がある。図１０からわかるように、飽和液温度を０℃以下にして、霜を融かそうとすると、図９における点（ｇ）の位置が飽和ガスエンタルピよりも高くなる。そのため、冷媒の凝縮潜熱を利用することができず、デフロスト対象の室外熱交換器１３前後のエンタルピ差は小さくなる（図１１）。このとき、飽和温度が０℃より高く、かつ１０℃以下の冷媒と同程度のデフロストの能力を発揮させようとすると、デフロスト対象の室外熱交換器１３には、飽和温度が０℃より高く、かつ１０℃以下の冷媒の３〜４倍程度の量の冷媒を流入させる必要がある。このため、暖房を行う室内機３０に供給できる冷媒量が減少して暖房能力が低下する。したがって、飽和液温度を０℃以下にすると先行文献１の低圧デフロストと同じく暖房能力が低下することになる。そこで、デフロスト対象の室外熱交換器１３の圧力は飽和液温度換算で０℃よりも高くする必要がある。
【００５７】
一方、デフロスト対象の室外熱交換器１３の圧力を高くしていくと、図１４に示すように、デフロスト対象の室外熱交換器１３の冷媒流出口におけるサブクールＳＣが増える。このため、液冷媒の量が増えて冷媒密度が高くなる。通常のビル用マルチエアコンは冷房時のほうが暖房時よりも必要な冷媒量が多い。したがって、通常は、暖房運転時にはアキュムレータ１４のような液だめに余剰冷媒が存在する。ただ、図１３に示すように、圧力の増大にしたがってデフロスト対象の室外熱交換器１３で必要な冷媒量が増えると、アキュムレータ１４にたまっている冷媒量は減少し、飽和温度が１０℃程度でアキュムレータ１４が空になる。アキュムレータ１４に余剰冷媒がなくなると、冷凍サイクルの冷媒が不足し、圧縮機１１の吸入密度が下がる等して、暖房能力が低下する。ここで、冷媒を過充填することで、飽和温度の上限を高くすることはできるが、その他の運転時にアキュムレータ１４から液があふれる等して、空気調和装置の信頼性が低下する可能性がある。そこで、冷媒は適正に充填しておいたほうがよい。また、飽和温度が高くなるほど、室外熱交換器１３内の冷媒と霜との温度差に温度ムラができ、すぐに霜が融けきる場所となかなか融けない場所ができるという課題もある。
【００５８】
以上のような理由より、デフロスト対象の室外熱交換器１３における圧力を飽和温度換算で０℃より高く、かつ１０℃以下にするとよい。ここで、潜熱を利用する中圧デフロストを最大限活かしつつ、デフロスト中の冷媒の移動を抑え、融けムラをなくすことを考えると、デフロスト対象の室外熱交換器１３の出口のサブクールＳＣが０Ｋの場合が最適な目標値である。サブクールを検知するための温度計、圧力計等の精度を考慮に入れると、サブクールＳＣが０Ｋから５Ｋ程度になるように、デフロスト対象の室外熱交換器１３の圧力を、飽和温度換算で０℃より高くかつ６℃以下にすることが望ましい。
【００５９】
次に、暖房デフロスト運転中の絞り装置１８及び２０並びに第２の流量制御装置１５ａ及び１５ｂの動作の一例について説明する。暖房デフロスト運転中、制御装置６０は、第２の流量制御装置１５ｂの開度を、デフロスト対象となる室外熱交換器１３ｂの圧力が飽和温度換算で０℃より高くかつ１０℃以下になるように制御する。一方、第２の流量制御装置１５ａの開度は、第２の流量制御装置１５ｂの前後の差圧をつけて制御性を向上させるため、全開状態にする。また、絞り装置１８の開度は、事前に設計した必要なデフロスト流量に合わせて、開度を固定したままにすればよい。暖房デフロスト運転中、圧縮機１１の吐出圧力とデフロスト対象となる室外熱交換器１３ｂの圧力との差は大きく変化しないためである。さらに、絞り装置２０は、信頼性を維持するために圧縮機１１において冷媒が液圧縮しない開度とする。また、凝縮器となる室内熱交換器３１への冷媒流量を増大させるために圧縮機１１の吐出温度、吐出スーパーヒート等を制御するように、例えば吐出スーパーヒートが１０Ｋ〜２０Ｋ程度になるまで圧縮機１１に冷媒をインジェクションできる開度とすればよい。ここで、デフロストを行う冷媒から放出された熱は、室外熱交換器１３ｂに付着した霜に移動するだけでなく、一部は外気に移動される場合がある。このため、制御装置６０は、外気温度が低下するにしたがってデフロスト流量が増加するように、絞り装置１８及び第２の流量制御装置１５ｂを制御するようにしてもよい。これによって、外気温度にかかわらず、霜に与える熱量を一定にし、デフロストにかかる時間を一定にすることができる。
【００６０】
また、制御装置６０は、外気温度に応じて着霜の有無を判定する際に用いる飽和温度の閾値、通常運転の時間等を変更してもよい。例えば、暖房デフロスト運転中に冷媒がデフロストにかける熱量が一定になるように、外気温度が低下するにつれてデフロスト開始時の着霜量を減らすように運転時間を短くする。これにより、絞り装置１８の抵抗を一定にすることができる。そして、安価な毛細管を用いることができる。また、制御装置６０は、外気温度に閾値を設定するようにしてもよい。例えば外気温度が閾値となる温度（例えば外気温度が−５℃や−１０℃等）以上であると判断した場合には、暖房デフロスト運転を行うようにし、閾値となる温度より低いと判断した場合には室内機３０の暖房を止めて、全室外熱交換器をデフロストする。例えば外気温度が−５℃、−１０℃等のように、０℃以下の場合には、もともと外気の絶対湿度が低く、着霜量が少ない。このため、着霜量が一定値になるまでの通常運転の時間が長くなる。したがって、室内機３０の暖房を止めてすべての室外熱交換器１３のデフロスト（全面デフロスト）を行っても室内機３０の暖房が停止する時間の割合は小さい。暖房デフロスト運転をした場合、デフロスト対象の室外熱交換器１３から外気へ放熱することも考慮に入れると、例えば、暖房運転を停止して全面デフロストを行う方が効率がよい場合がある。そこで、暖房デフロスト運転モードの他に、全面デフロストを行う暖房停止デフロスト運転モードを選択できるようにしてもよい。例えば、外気温度に基づいて、デフロストに係る運転モードを選択することができるようにすることで効率よくデフロストすることができる。
【００６１】
また、本実施の形態のように、室外熱交換器１３ａ、１３ｂを一体型で構成し、デフロスト対象の室外熱交換器１３に室外ファン２１によって外気を搬送する場合、外気温度が低下するにつれてファン出力を落とすようにファン出力を変更するようにしてもよい。このため、暖房デフロスト運転時にデフロスト対象の室外熱交換器１３からの放熱量を減らすことができる。
【００６２】
［制御フロー］
図１５は、本発明の実施の形態１に係る空気調和装置１００における制御装置６０の制御に係るフローチャートを示す図である。次に、図１５に基づいて、本実施の形態において制御装置６０が行う制御処理についてさらに説明する。ここで、図１５では、暖房デフロスト運転のみを行う場合について説明する。
【００６３】
空気調和装置１００が運転を開始すると（Ｓ１）、室内機３０ａ及び３０ｂが暖房を行っているかどうか（運転モードが暖房であるかどうか）を判定する（Ｓ２）。運転モードが冷房を行っていると判定すると、通常の冷房運転の制御を行う（Ｓ３）。
【００６４】
一方、運転モードが暖房であると判定すると、通常の暖房運転の制御を行う（Ｓ４）。そして、通常暖房運転中において、例えば着霜による伝熱、風量等の低下による室外熱交換器１３の伝熱性能の低下を考慮し、式（１）に基づいて暖房デフロスト運転の開始条件を満たすか否か（着霜しているか否か）の判定を行う（Ｓ５）。式（１）におけるｘ１は５Ｋ〜２０Ｋ程度の値を設定すればよい。ここで、例えば温度センサ、圧力センサ、着霜量を測定するセンサ等を用いて、着霜の有無を判定することができれば、デフロスト開始条件については、吸入圧力に基づく判定を行うものでなくてもよい。
（吸入圧力の飽和温度）＜（外気温度）−ｘ１          …（１）
【００６５】
例えば式（１）に基づく等して、暖房デフロスト運転開始条件を満たしたものと判定すると、室外熱交換器１３をデフロストする暖房デフロスト運転を開始する。ここでは、例えば図２において室外熱交換器１３の下段側の室外熱交換器１３ｂ、上段側の室外熱交換器１３ａの順にデフロストする場合の制御を一例として説明する。したがって、まず、室外熱交換器１３ｂに対してデフロスト（中圧デフロスト）を行う（Ｓ６）。ここで、デフロストを行う順を逆にしてもよい。
【００６６】
上述したように、暖房デフロスト運転を行う前の暖房通常運転での各バルブの状態は、図３の「暖房通常運転」の欄に示した状態である。そして、この状態から、図３の「暖房デフロスト運転」の「１３ａ：蒸発器  １３ｂ：デフロスト」の欄に示すような状態に各バルブを変更して暖房デフロスト運転を行う（Ｓ７）。
【００６７】
（ａ）第１の電磁弁１６ｂ        ＯＦＦ
（ｂ）第２の電磁弁１７ｂ        ＯＮ
（ｃ）第３の電磁弁１９ｂ        ＯＮ
（ｄ）絞り装置１８              所定の開度に開く
（ｅ）絞り装置２０              所定の開度に開く
（ｆ）第２の流量制御装置１５ａ  全開にする
（ｇ）第２の流量制御装置１５ｂ  制御開始
（ｈ）絞り装置２０              制御開始
【００６８】
デフロスト対象の室外熱交換器１３ｂに着いた霜が融けることにより、デフロスト終了条件を満たしたかどうかを判定する（Ｓ８）。満たしていないと判定すると、室外熱交換器１３ｂをデフロスト、室外熱交換器１３ａを蒸発器とする暖房デフロスト運転を行う。例えば、暖房デフロスト運転を継続して室外熱交換器１３ｂに付着した霜が融けてくると、第１の接続配管２４ｂ内の冷媒温度が上昇する。このため、デフロスト終了条件としては、例えば第１の接続配管２４ｂに温度センサを取り付け、次式（２）に示すようにセンサ温度が閾値を超えた場合にデフロスト終了条件を満たしたと判定すればよい。ここで、ｘ２は、例えば３〜１０℃に設定する。
（第１の接続配管２４の冷媒温度）＞ｘ２      …（２）
【００６９】
式（２）を満たし、デフロスト終了条件を満たしたものと判定すると、室外熱交換器１３ｂのデフロストを終了する（Ｓ９）。このとき、各バルブの状態を次のように変更する
【００７０】
（ａ）第２の電磁弁１７ｂ                ＯＦＦ
（ｂ）第３の電磁弁１９ｂ                ＯＦＦ
（ｃ）第１の電磁弁１６ｂ                ＯＮ
（ｄ）第２の流量制御装置１５ａ、１５ｂ  通常の中間圧制御
【００７１】
さらに、各バルブを図３の「暖房デフロスト運転」の「１３ａ：デフロスト  １３ｂ：蒸発器」の欄に示すような状態に各バルブを変更して、室外熱交換器１３ａのデフロストを行う暖房デフロスト運転を開始する（Ｓ１０）。Ｓ１０〜Ｓ１３は、上述したＳ６〜Ｓ９の処理とバルブの番号が異なるが処理は同じである。
【００７２】
以上のように下段側の室外熱交換器１３ｂと上段側の室外熱交換器１３ａの両方のデフロストを完了して、Ｓ６〜Ｓ１３に示す暖房デフロスト運転が終了すると、Ｓ４に戻って暖房通常運転を行う。
【００７３】
ここで、暖房デフロスト運転を行うと、複数の室外熱交換器１３を、順に最低１回デフロストすることになる。例えば最後の室外熱交換器１３がデフロストを終了したときに、冷媒回路中に設置された温度センサ等により、最初にデフロストした室外熱交換器１３が着霜して伝熱性能が下がっていると判断すると、最初にデフロストした室外熱交換器１３に対して２回目のデフロストを短時間行ってもよい。
【００７４】
以上説明したように、本実施の形態１の空気調和装置１００によれば、暖房デフロスト運転によって、デフロストを行いつつ、室内機３０側に冷媒を送ることができるので、連続して室内の暖房を行うことができる。このとき、絞り装置２０及び第２の流量制御装置１５の少なくとも一方（主として絞り装置２０）の開度を調整してデフロストを行っている室外熱交換器１３から流出した冷媒の一部又は全部を圧縮機１１にインジェクションすることができるので、室内機３０に送り込む冷媒量を増大させ、暖房能力の向上を図ることができる。このとき、すべての室外熱交換器１３を少なくとも１回はデフロストするようにすることで、通常暖房運転における効率を高めることができる。
【００７５】
また、絞り装置２０及び第２の流量制御装置１５の少なくとも一方（主として第２の流量制御装置１５）の開度を調整することでデフロストを行っている室外熱交換器１３から流出した冷媒の一部を、蒸発器として機能する室外熱交換器１３の上流側の主冷媒回路へ流入させることができる。このため、デフロストの効率を向上させることができ、蒸発器として機能する室外熱交換器１３に流入する冷媒量が増え、外気からの吸熱量を多くすることができる。圧縮機１１の吸入圧力の低下を抑えることができる。
【００７６】
さらに、圧縮機１１が吐出する冷媒の吐出スーパーヒートが１０Ｋ〜２０Ｋ程度になるように、冷媒をインジェクションする開度に絞り装置２０を制御するようにしたので。圧縮機１１において冷媒が液圧縮しないように信頼性を維持しつつ、凝縮器として動作する室内熱交換器３１への冷媒流量を増大させることができ、暖房能力を向上させることができる。
【００７７】
また、本実施の形態の空気調和装置１００においては、吐出配管２２から分岐した高温高圧のガス冷媒の一部を、飽和温度換算で霜の温度と比較して高い０℃より高くかつ１０℃以下になる圧力（中圧）まで減圧し、デフロスト対象の室外熱交換器１３に流入させるようにしたので、冷媒の凝縮潜熱を利用したデフロストを行うことができる。
【００７８】
また、本実施の形態の空気調和装置１００においては、飽和温度は０℃より高くかつ１０℃以下とすることで、霜の温度との温度差が小さくなるようにしたので、デフロスト対象の室外熱交換器１３の流出口における冷媒のサブクール（過冷却度）は５Ｋ程度と小さくすることができる。このため、デフロストを行うために必要な冷媒量が少なくなり、主冷媒回路を循環する冷媒不足を回避することができる。また、デフロスト対象の室外熱交換器１３の伝熱管内の冷媒は気液二相の領域が大きくなり、霜との温度差が一定な領域が増え、熱交換器全体のデフロスト量を均一化することができる。
【００７９】
また、本実施の形態の空気調和装置１００においては、デフロスト対象の室外熱交換器１３から流出した冷媒を、蒸発器として機能している他の室外熱交換器１３に流入させることで、冷凍サイクルにおける蒸発能力を維持して吸入圧力の低下を抑えることができる。また、圧縮機１１への液バックを防ぐことができる。また、絞り装置１８の流量制御を行うと、デフロスト能力を可変にすることができる。このため、例えば低外気温度になるほど絞り装置１８の流量を増やすようにすることで、デフロストにかかる時間を一定にすることができる。
【００８０】
また、本実施の形態の空気調和装置１００においては、例えば、外気温度に基づいて暖房デフロスト運転を行うかどうかを判定する基準を変更することで、デフロスト能力が一定でもデフロストにかかる時間を一定にすることができる。さらに、外気温度に基づいて暖房デフロスト運転と暖房停止デフロスト運転とを選択できるようにしたので、効率のよいデフロストを選択して行うことができる。また、外気温度に基づいて室外ファン２１の出力を変更するようにしたので、デフロストを行う冷媒が外気に放熱する熱量を減らすことができる。
【００８１】
実施の形態２．
図１６は、本発明の実施の形態２に係る空気調和装置１０１の構成を示す図である。図１６において、図１と同じ符号を付している機器等については、実施の形態１で説明したことと同様の動作等を行う。以下、空気調和装置１０１が実施の形態１の空気調和装置１００と異なる部分を中心に説明する。
【００８２】
実施の形態２に係る空気調和装置１０１は、上記実施の形態１の空気調和装置１００の構成に加え、第３の流量制御装置１５ｃ及び冷媒−冷媒熱交換器２８（以下、冷媒間熱交換器２８という）を有している。第３の流量制御装置１５ｃは、第１の接続配管２４ａと第１の接続配管２４ｂとをバイパスする配管に設けられている。第３の流量制御装置１５ｃは、例えば、電子制御式膨張弁のような開度を可変できる弁で構成している。ここで、本実施の形態における第３の流量制御装置１５ｃは、本発明の「第３の圧力調整装置」に相当する。したがって、図１６の空気調和装置１０１では、第２の流量制御装置１５ａ及び１５ｂを有しているが、場合によっては設置する必要はない。
【００８３】
図１７は本発明の実施の形態２に係る空気調和装置１０１における各運転時の弁を有する装置（バルブ）におけるＯＮ／ＯＦＦ（開閉）又は開度調整の状態に関する表を示す図である。本実施の形態の空気調和装置１０１における第２の流量制御装置１５ａ及び１５ｂ並びに第３の流量制御装置１５ｃの動作が実施の形態１と異なる。
【００８４】
第３の流量制御装置１５ｃは、暖房デフロスト運転時に、デフロスト対象の室外熱交換器１３から流出した冷媒を、蒸発器として動作する室外熱交換器１３の上流に流入させる。第３の流量制御装置１５ｃは、デフロスト対象の室外熱交換器１３の圧力が０℃より高くかつ１０℃以下になる中圧になるように制御装置６０により制御される。一方、実施の形態１において、デフロスト対象の室外熱交換器１３の圧力を制御していた第２の流量制御装置１５ａ又は１５ｂは閉止する。さらに、実施の形態１では全開であった第２の流量制御装置１５ａ又は１５ｂは、第２の延長配管５０等の中間圧の飽和温度が０℃〜２０℃程度の開度になるように制御される。
【００８５】
図１８は、本発明の実施の形態２に係る空気調和装置１０１の暖房デフロスト運転時の冷媒の流れを示す図である。ここで、図１８においては、暖房デフロスト運転時に冷媒が流れる部分を太線とし、冷媒が流れない部分を細線としている。また、図１９は、本発明の実施の形態２に係る空気調和装置１０１の暖房デフロスト運転時のＰ−ｈ線図である。図１９の点（ａ）〜点（ｉ）は図１８の同じ記号を付した部分での冷媒の状態を示す。
【００８６】
制御装置６０は、暖房通常運転を行っている際に着霜状態を解消するデフロストが必要と判定すると、デフロスト対象の室外熱交換器１３ｂに対応する第１の電磁弁１６ｂ及び第２の流量制御装置１５ｂを閉止させる。また、制御装置６０は、第２の電磁弁１７ｂ及び第３の電磁弁１９ｂを開き、絞り装置１８及び絞り装置２０の開度を予め設定した開度にさせる。そして、第３の流量制御装置１５ｃの開度は、所定開度に設定する。
【００８７】
これによって、圧縮機１１→絞り装置１８→第２の電磁弁１７ｂ→室外熱交換器１３ｂ→第３の流量制御装置１５ｃとなる冷媒経路（第１の冷媒経路）を形成する。また、圧縮機１１→絞り装置１８→第２の電磁弁１７ｂ→室外熱交換器１３ｂ→第３の電磁弁１９ｂ→冷媒間熱交換器２８→絞り装置２０→圧縮機１１のインジェクション部となる冷媒経路（中圧デフロスト回路、第２の冷媒経路）を形成する。そして、暖房デフロスト運転を開始する。
【００８８】
暖房デフロスト運転を開始すると、圧縮機１１から吐出された高温高圧のガス冷媒の一部は、第１のデフロスト配管２６に流入し、絞り装置１８で中圧まで減圧される。このときの冷媒の変化は図１９中の点（ｂ）から点（ｆ）で表される。
【００８９】
そして、図１９において、点（ｆ）で示される中圧まで減圧された冷媒は、第２の電磁弁１７ｂ及び第２の接続配管２５ｂを通過して室外熱交換器１３ｂに流入する。室外熱交換器１３ｂに流入した冷媒は、室外熱交換器１３ｂに付着した霜と熱交換することによって冷却される。このときの冷媒の変化は図１９中の点（ｆ）から点（ｇ）の変化で表される。ここで、デフロストを行う冷媒は、霜の温度（０℃）以上のより高くかつ１０℃以下の飽和温度になっている。
【００９０】
室外熱交換器１３ｂにおいてデフロストを行った後の冷媒は２つに分岐する。一方の冷媒は第３の流量制御装置１５ｃを通り、第２の流量制御装置１５ａと室外熱交換器１３ａとの間の第１の接続配管２４ａから主冷媒回路に合流する（点（ｅ））。合流した冷媒は、蒸発器として機能している室外熱交換器１３ａに流入し、蒸発する。
【００９１】
また、他方の冷媒は、第３の電磁弁１９ｂを通り、点（ｆ）で示される中圧よりも飽和温度が高い中間圧で流れる暖房用の冷媒と冷媒間熱交換器２８において熱交換する。熱交換によって加熱された冷媒は絞り装置２０でインジェクション圧に減圧される（点（ｉ））。このとき、暖房用の冷媒は熱交換により冷却される。このときの冷媒の変化は図１９中の点（ｄ）から点（ｈ）で表される。
【００９２】
以上説明したように、本実施の形態２の空気調和装置１０１によれば、デフロスト対象の室外熱交換器１３を通った冷媒を、低圧（圧縮機１１の吸入圧力相当）に流入させている。このため、制御装置６０は、中間圧（点（ｄ））の制御と、中圧（点（ｆ））の制御とを分けて行うことができる。また、中間圧が中圧と比較して高くなってもよいため、第２の流量制御装置１５ａ及び１５ｂにＣｖ値が小さな小型の弁を用いることができる。
【００９３】
また、中間圧が中圧よりも高い場合、デフロスト対象の室外熱交換器１３を通った後、圧縮機１１にインジェクションされる冷媒が室内機３０ａ、３０ｂから室外機１０に戻ってきた中間圧の冷媒と冷媒間熱交換器２８で熱交換し、インジェクションされる冷媒が加熱され、主冷媒回路を流れる冷媒が冷却（過冷却）される。このため、蒸発器として動作する室外熱交換器１３においてエンタルピ差を広げ、外気からの吸熱量を増やすことができ、暖房能力を向上させることができる。この点、上述した実施の形態１の空気調和装置１００では、デフロスト対象の室外熱交換器１３を通った冷媒を主流に戻すため、中間圧（第２の延長配管５０の圧力）を、中圧（デフロスト対象の室外熱交換器１３に流入する冷媒の圧力）と比較して下げる必要がある。
【００９４】
実施の形態３．
図２０は、本発明の実施の形態３に係る空気調和装置１０２の構成を示す図である。図２０において、図１、図１６等と同じ符号を付している機器等については、実施の形態１又は実施の形態２で説明したことと同様の動作を行う。そこで、以下、本実施の形態の空気調和装置１０２が実施の形態２で説明した空気調和装置１０１と異なる部分を中心に説明する。
【００９５】
実施の形態３に係る空気調和装置１０２は、上記実施の形態２の空気調和装置１０１の構成に加え、主冷媒回路において中間圧となる配管（第２の延長配管５０と第２の流量制御装置１５ａ及び１５ｂとの間の配管）から第２のデフロスト配管２７の冷媒間熱交換器２８の上流側に冷媒が流入するように圧力調整する第４の流量制御装置２９が設置されている。ここで、実施の形態３においても、第３の流量制御装置１５ｃが、本発明の「第３の絞り装置」に相当する。また、第４の流量制御装置２９が、本発明の「第４の圧力調整装置」に相当する。
【００９６】
本実施の形態３の暖房デフロスト運転においても、実施の形態２と同様に、圧縮機１１→絞り装置１８→第２の電磁弁１７ｂ→室外熱交換器１３ｂ→第３の流量制御装置１５ｃとなる冷媒経路（第１の冷媒経路）を形成する。また、圧縮機１１→絞り装置１８→第２の電磁弁１７ｂ→室外熱交換器１３ｂ→第３の電磁弁１９ｂ→冷媒間熱交換器２８→絞り装置２０→圧縮機１１のインジェクション部（ポート）となる冷媒経路（中圧デフロスト回路、第２の冷媒経路）を形成する。
【００９７】
本実施の形態３の暖房デフロスト運転では、第３の流量制御装置１５ｃと第４の流量制御装置２９とにより中圧の制御を行うものである。例えば、制御装置６０は、デフロストする冷媒流量が少なく中圧を制御しようとすると、第３の流量制御装置１５ｃが全閉となってしまう場合に、第４の流量制御装置２９の開度を調整して中圧を上昇させる制御を行う。
【００９８】
第３の電磁弁１９ｂを通過した冷媒は、実施の形態２と同じく、冷媒間熱交換器２８において暖房用の冷媒と熱交換する。そして、暖房用の冷媒の過冷却度を増大させ、蒸発器として動作する室外熱交換器１３における吸熱量を増やし、暖房能力を向上することができる。
【００９９】
以上説明したように、本実施の形態３の空気調和装置１０２によれば、デフロストする冷媒流量が少ない場合にも第４の流量制御装置２９を開くことで圧力調整した中間圧の冷媒を流入させ、デフロスト対象の室外熱交換器１３に対する中圧制御を安定して行うことができる。また、冷媒間熱交換器２８における熱交換により、暖房用の冷媒の過冷却度を大きくすることができるので、蒸発器として機能する室外熱交換器１３において外気からの吸熱量を増やして暖房能力を向上することができる。
【０１００】
実施の形態４．
図２１は、本発明の実施の形態４に係る空気調和装置１０３の構成を示す図である。図２１において、図２０と同じ符号を付している機器等については、実施の形態１〜３で説明したことと同様の動作等を行う。以下、空気調和装置１０３が実施の形態３の空気調和装置１０２と異なる部分を中心に説明する。
【０１０１】
実施の形態４に係る空気調和装置１０３は、上述した実施の形態３の空気調和装置１０２の構成に代えて、第１のデフロスト配管２６の一方の端部を第１の接続配管２４ａ及び２４ｂと接続する。また、第２のデフロスト配管２７の一方の端部を第２の接続配管２５ａ及び２５ｂと接続する。
【０１０２】
また、実施の形態３の空気調和装置１０２では、第１の接続配管２４ａと２４ｂとをバイパスするように第３の流量制御装置を設置していた。しかし、本実施の形態の空気調和装置１０３では、デフロストを行った冷媒が、第２のデフロスト配管２７及び第３のデフロスト配管７１を通過して、第１の接続配管２４ａ又は２４ｂ側に流れるように第３の流量制御装置１５ｃ並びに逆止弁７０ａ及び７０ｂを設置している。ここで、本実施の形態４における空気調和装置１０４の第３の流量制御装置１５ｃと空気調和装置１０３の第４の流量制御装置２９とは、本発明の「第３の絞り装置」と「第４の絞り装置」とに相当する。
【０１０３】
図２２は、本発明の実施の形態４に係る空気調和装置１０４の構成を示す図である。図２２の空気調和装置１０４は、空気調和装置１０３から第３の流量制御装置１５ｃ並びに逆止弁７０ａ及び７０ｂを除いたものである。
【０１０４】
図２１及び図２２のような構成とすることで、本実施の形態の空気調和装置１０３及び１０４の室外熱交換器１３内における冷媒の流れは、実施の形態１〜３の空気調和装置１００〜１０２における冷媒の流れとは逆方向となる。
【０１０５】
制御装置６０は、通常暖房運転を行っているときに、着霜状態を解消するデフロストが必要と検知した場合、デフロスト対象の室外熱交換器１３ｂに対応する第１の電磁弁１６ｂを閉止し、第２の流量制御装置１５ｂを全閉状態にする。また、制御装置６０は、第２の電磁弁１７ｂ、第３の電磁弁１９ｂを開き、絞り装置１８の開度を予め設定した開度に開く。そして、制御装置６０は、空気調和装置１０４では、第３の流量制御装置１５ｃの開度を開き、空気調和装置１０３では、第４の流量制御装置２９の開度を開く。
【０１０６】
これによって、空気調和装置１０３では、圧縮機１１→絞り装置１８→第２の電磁弁１７ｂ→室外熱交換器１３ｂ→第３の電磁弁１９ｂ→第３の流量制御装置１５ｃ→第１の接続配管２４ａとなる冷媒経路（第１の冷媒経路）を形成する。また、空気調和装置１０４では圧縮機１１→絞り装置１８→第２の電磁弁１７ｂ→室外熱交換器１３ｂ→第３の電磁弁１９ｂ→第４の流量制御装置２９→冷媒間熱交換器２８→第２の流量制御装置１５ａ→第１の接続配管２４ａとなる冷媒経路（第１の冷媒経路）を形成する。そして、第２の経路として圧縮機１１→絞り装置１８→第２の電磁弁１７ｂ→室外熱交換器１３ｂ→第３の電磁弁１９ｂ→冷媒間熱交換器２８→絞り装置２０→圧縮機１１のインジェクション部（ポート）となる冷媒経路（中圧デフロスト回路、第２の冷媒経路）を形成する。そして、暖房デフロスト運転を開始する。
【０１０７】
暖房デフロスト運転中、制御装置６０は、第３の流量制御装置１５ｃ又は第４の流量制御装置２９の開度を、デフロスト対象の室外熱交換器１３ｂの圧力（中圧）が、飽和温度換算で０℃より高くかつ１０℃以下になるように制御する。絞り装置２０は、圧縮機１１の吐出温度、吐出スーパーヒート等を制御するように、例えば吐出スーパーヒートが１０Ｋ〜２０Ｋ程度になるまで圧縮機１１に冷媒をインジェクションできる開度とする。
【０１０８】
ここで、図２に示すように、第１の接続配管２４ａ及び２４ｂは、室外熱交換器１３ａ及び１３ｂにおける空気の流れ方向の上流側の伝熱管５ａに接続されている。室外熱交換器１３ａ及び１３ｂの伝熱管５ａは、空気の流れ方向に複数列設けられており、下流側の列へ順次流れる。このため、デフロスト対象の室外熱交換器１３ｂへ供給される冷媒は、空気の流れ方向の上流側の伝熱管５ａから下流側の方向に流れることとなり、冷媒の流れ方向と空気の流れ方向とが一致した並行流とすることができる。
【０１０９】
以上説明したように、本実施の形態４によれば、デフロスト対象の室外熱交換器１３において、冷媒の流れの方向と空気の流れの方向を一致させることができる。また、冷媒の流れを並行流にすることで、デフロスト時に空気に放熱した熱を下流のフィン５ｂに付着している霜のデフロストに使うことができるので、デフロストの効率を上げることができる。
【０１１０】
実施の形態５．
実施の形態１から実施の形態４においては、室外熱交換器１３が２つの室外熱交換器１３ａ、１３ｂに分割されている場合を説明したが、本発明はこれに限定されない。３つ以上の室外熱交換器を備える構成においても、上述した発明思想を適用することで、一部の室外熱交換器１３をデフロスト対象とし、他の一部又は全部の室外熱交換器１３で暖房運転を継続するように動作させることができる。
【０１１１】
また、実施の形態１から実施の形態４においては、１台の室外熱交換器を分割して複数の室外熱交換器１３とする場合を説明したが、本発明はこれに限定されない。互いに並列に接続された別個の室外熱交換器１３を複数備える構成においても、上述した発明思想を適用することで、一部の室外熱交換器１３をデフロスト対象とし、他の一部の室外熱交換器１３で暖房運転を継続するように動作させることができる。
【符号の説明】
【０１１２】
５ａ  伝熱管、５ｂ  フィン、１０  室外機、１１  圧縮機、１２  冷暖切替装置、１３，１３ａ，１３ｂ  室外熱交換器、１４  アキュムレータ、１５ａ，１５ｂ  第２の流量制御装置、１５ｃ  第３の流量制御装置、１６，１６ａ，１６ｂ  第１の電磁弁、１７，１７ａ，１７ｂ  第２の電磁弁、１８，２０  絞り装置、１９，１９ａ，１９ｂ  第３の電磁弁、２１  室外ファン、２２  吐出配管、２３  吸入配管、２４，２４ａ，２４ｂ  第１の接続配管、２５，２５ａ，２５ｂ  第２の接続配管、２６  第１のデフロスト配管、２７  第２のデフロスト配管、２８  冷媒間熱交換器、２９  第４の流量制御装置、３０，３０ａ，３０ｂ  室内機、３１，３１ａ，３１ｂ  室内熱交換器、３２，３２ａ，３２ｂ  第１の流量制御装置、４０，４１ａ，４１ｂ  第１の延長配管、５０，５１ａ，５１ｂ  第２の延長配管、６０  制御装置、７０ａ，７０ｂ  逆止弁、７１  第３のデフロスト配管、１００，１０１，１０２，１０３，１０４  空気調和装置。
【図１】
0005968534.tif 000002
【図２】
0005968534.tif 000003
【図３】
0005968534.tif 000004
【図４】
0005968534.tif 000005
【図５】
0005968534.tif 000006
【図６】
0005968534.tif 000007
【図７】
0005968534.tif 000008
【図８】
0005968534.tif 000009
【図９】
0005968534.tif 000010
【図１０】
0005968534.tif 000011
【図１１】
0005968534.tif 000012
【図１２】
0005968534.tif 000013
【図１３】
0005968534.tif 000014
【図１４】
0005968534.tif 000015
【図１５】
0005968534.tif 000016
【図１６】
0005968534.tif 000017
【図１７】
0005968534.tif 000018
【図１８】
0005968534.tif 000019
【図１９】
0005968534.tif 000020
【図２０】
0005968534.tif 000021
【図２１】
0005968534.tif 000022
【図２２】
0005968534.tif 000023